(57)【要約】  【課題】  本発明は、立体画像撮影用のカメラを新規に追加することなく立体画像を撮影することが可能な構造とした携帯端末装置を提供することを目的としている。  【解決手段】  携帯端末装置の折り畳み時において、上側ユニット７に配置されるインカメラ２１が露出するような構造とすることで、インカメラ２１の撮像方向が下側ユニット８に配置されるアウトカメラ２２と同じ方向とすることができる。これにより、インカメラ２１とアウトカメラ２２とによって、立体画像撮影が行われる。【選択図】      図２
2007243647.tif 000002
【特許請求の範囲】
【請求項１】
装置の内側面に設置された第１カメラと、装置の外側面に設置された第２カメラと、装置を折り畳む折り畳み機構と、を備える携帯端末装置において、
前記第１及び第２カメラの撮像動作を制御する撮像制御部を備え、
前記撮像制御部が、前記折り畳み機構により装置を折り畳むことで、前記第１及び第２カメラの撮像方向を同一の方向としたときに、前記第１及び第２カメラで同時に撮像動作を行う立体画像撮像機能を備えることを特徴とする携帯端末装置。
【請求項２】
前記折り畳み機構として、
２分割された第１ユニット及び第２ユニットと、
該第１及び第２ユニットを連結するとともに該第１及び第２ユニットを開閉させるヒンジ部と、
を備え、
前記第１ユニットの内側面に前記第１カメラが設置されるとともに、前記第２ユニットの外側面に前記第２カメラが設置されることを特徴とする請求項１に記載の携帯端末装置。
【請求項３】
前記第１ユニットの内側面において、前記第１及び第２ユニットの内側面が対向する閉じた状態とされたときに前記第２ユニットと重ならない位置に、前記第１カメラが設置されるとともに、
前記第２ユニットの外側面において、前記第１及び第２ユニットの内側面が対向する閉じた状態とされたときに前記第１カメラから離れた位置に前記第２カメラが設置されることを特徴とする請求項２に記載の携帯端末装置。
【請求項４】
前記第１ユニットの前記ヒンジ部と逆側の端辺近傍の内側面において、前記第１及び第２ユニットの内側面が対向する閉じた状態とされたときに前記第２ユニットと重ならない部分を備えるとともに、当該部分に前記第１カメラが設置され、
前記第２ユニットの前記ヒンジ部近傍の外側面に、前記第２カメラが設置されることを特徴とする請求項３に記載の携帯端末装置。
【請求項５】
画像を表示する表示画面を備えることを特徴とする請求項１〜請求項４のいずれかに記載の携帯端末装置。
【請求項６】
前記表示画面が同時刻に撮像されて得た複数の画像による立体画像の表示が可能であることを特徴とする請求項５に記載の携帯端末装置。
【発明の詳細な説明】
【技術分野】
【０００１】
本発明は、携帯電話装置やＰＨＳ（Personal Handy phone System）やＰＤＡ（Personal Digital Assistant）などの情報通信を行う携帯端末装置に関するもので、特に、撮像するカメラを備える携帯端末装置に関する。
【背景技術】
【０００２】
近年、携帯電話装置やＰＨＳやＰＤＡなどの無線通信による情報通信を行う携帯端末装置が普及されており、又、この携帯端末装置には、複数の機能が具備されるようになっている。即ち、近年の携帯端末装置には、通信機能として、通話機能以外に、電子メールを作成して送信するとともに受信した電子メールの閲覧を行うメール機能や、インターネット上のサーバに接続してデータの読み出しを行うネット接続機能などが具備されるだけでなく、通信機能以外の機能として、被写体を撮像して画像データを生成する撮像機能なども追加されている。
【０００３】
そして、撮像機能を追加された携帯端末装置では、撮像機能により取得した画像データをメール機能などによって、別の通信端末装置に送信することができるものも普及されている。更には、通信機能を備えて撮像機能により現在撮像されている内容を動画データとして音声データとともに送信するとともに、動画データ及び音声データを受信することで、テレビ電話機能を実行する携帯端末装置も提供されている（特許文献１参照）。このテレビ電話機能も備えた携帯端末装置は、表示画面となるディスプレイと同じ側に設置されたテレビ電話機能用のカメラ（以下、「インカメラ」とする）と、ディスプレイと反対側に設置された撮像機能用のカメラ（以下、「アウトカメラ」とする）とが備えられる。
【０００４】
又、携帯端末装置に追加された撮像機能において、立体画像の撮像を行うものも提供されている（特許文献２及び特許文献３参照）。そして、特許文献２の折り畳み型携帯電話機では、画像表示部の両脇に１対のカメラを搭載し、複数の方向から通話者の画像を撮影することによって立体画像の撮影が可能なものとされている。又、特許文献３の携帯情報端末では、その側面部にカメラとファインダーを左右１対ずつ備え、立体画像の撮像を可能としている。
【特許文献１】特開２００６−００５３９３号公報
【特許文献２】特開２００３−３１９０４３号公報
【特許文献３】特開２００５−１７６２８４号公報
【発明の開示】
【発明が解決しようとする課題】
【０００５】
上述したように、近年の携帯端末装置は、その主機能となる通信機能以外に、撮像機能などを備え、その撮像機能おいても、立体画像の撮像を可能とするものが提供されている。しかしながら、特許文献２の折り畳み型携帯電話機では、画像表示部の両脇に搭載されたカメラのように、水平に配置された２機のカメラが必要としている。この立体画像を撮像するためのカメラが正面側に設置されるため、背面側を撮像するためのカメラが別に設置されるものとし、合計３機のカメラが必要となっている。このため、携帯端末装置の小型化及び軽量化の妨げとなっている。又、特許文献３の携帯情報端末では、立体画像撮像用の１対のカメラだけでなく、この１対のカメラそれぞれに対応した１対のファインダーが必要とされ、更にその小型化及び軽量化を妨げている。
【０００６】
このように、従来の提示されている立体画像の撮像機能の実装方式によると、立体画像撮像用のカメラを追加する必要性があり、小型化及び軽量化が望まれている携帯通信端末において問題となる。更に、特許文献２では、立体画像の撮像を行うために、立体画像撮像用のカメラの位置を回転させる回転／スライド機構が必要とされ、その機械的機構も新たに追加する必要がある。
【０００７】
このような問題を鑑みて、本発明は、立体画像撮影用のカメラを新規に追加することなく立体画像を撮影することが可能な構造とした携帯端末装置を提供することを目的としている。
【課題を解決するための手段】
【０００８】
上記目的を達成するために、本発明の携帯端末装置は、装置の内側面に設置された第１カメラと、装置の外側面に設置された第２カメラと、装置を折り畳む折り畳み機構と、を備える携帯端末装置において、前記第１及び第２カメラの撮像動作を制御する撮像制御部を備え、前記撮像制御部が、前記折り畳み機構により装置を折り畳むことで、前記第１及び第２カメラの撮像方向を同一の方向としたときに、前記第１及び第２カメラで同時に撮像動作を行う立体画像撮像機能を備えることを特徴とする。
【０００９】
そして、記折り畳み機構として、２分割された第１ユニット及び第２ユニットと、該第１及び第２ユニットを連結するとともに該第１及び第２ユニットを開閉させるヒンジ部と、を備え、前記第１ユニットの内側面に前記第１カメラが設置されるとともに、前記第２ユニットの外側面に前記第２カメラが設置される。
【００１０】
このとき、前記第１ユニットの内側面において、前記第１及び第２ユニットの内側面が対向する閉じた状態とされたときに前記第２ユニットと重ならない位置に、前記第１カメラが設置されるとともに、前記第２ユニットの外側面において、前記第１及び第２ユニットの内側面が対向する閉じた状態とされたときに前記第１カメラから離れた位置に前記第２カメラが設置されるものとしても構わない。更に、前記第１ユニットの前記ヒンジ部と逆側の端辺近傍の内側面において、前記第１及び第２ユニットの内側面が対向する閉じた状態とされたときに前記第２ユニットと重ならない部分を備えるとともに、当該部分に前記第１カメラが設置され、前記第２ユニットの前記ヒンジ部近傍の外側面に、前記第２カメラが設置されるものとしても構わない。
【００１１】
又、前記第１及び第２ユニットのいずれかを伸縮可能な構造とし、前記第１及び第２ユニットの内側面が対向する閉じた状態とされたときに前記第１カメラが前記第２ユニットと重ならないように、前記第１及び第２ユニットのいずれかが伸縮されるものとしても構わない。
【００１２】
そして、画像を表示する表示画面を備えるものとしても構わない。このとき、当該表示画面が、前記第１ユニットの内側表面に設置される。このとき、当該表示画面が、前記第１ユニットの外側表面にも設置されるものとしても構わない。更に、前記表示画面が同時刻に撮像されて得た複数の画像による立体画像の表示が可能であるものとしても構わない。
【００１３】
又、前記第１ユニットの外側表面に前記表示画面が設置される場合、立体画像撮像を行う際において、前記第１及び第２カメラのいずれかの撮像画像が、前記第１ユニットの外側表面の前記表示画面に表示されるものとしても構わない。
【００１４】
又、外部と通信を行う通信部を備えるものとしても構わない。そして、前記通信部が、他の端末との通話を可能とするものであっても構わない。このとき、前記第１カメラによる撮像画像が送信されるとともに、前記通信部で受信した画像が前記表示画面に表示されることが、通話とともに行われるテレビ電話機能を備えるものとしても構わない。
【発明の効果】
【００１５】
本発明によると、既に備えられた第１及び第２カメラによる立体画像撮像機能を備えるものとするため、従来のように、立体画像撮像機能を実現するためのカメラを追加する必要がない。これにより、通信端末装置の小型化及び軽量化の妨げを防ぐことができる。更に、第１及び第２カメラが装置の内側面及び外側面に配置されることで、折り畳み機構により装置を折り畳んだときに、第１及び第２カメラの撮像方向を同一の方向とすることができる。これにより、従来の装置に備えられた構成を利用することで、立体画像撮像機能を容易に実現することができる。
【発明を実施するための最良の形態】
【００１６】
本発明の実施形態について、図面を参照して、以下に説明する。図１は、本実施形態の携帯端末装置を開いたときの正面図及び背面図である。図２は、本実施形態の携帯端末装置の開いたときと閉じたときそれぞれの構成を示す側面図である。図３は、本実施形態の携帯端末装置を閉じたときの正面図及び背面図である。図４は、本実施形態の携帯端末装置の内部構成を示すブロック図である。
【００１７】
（携帯端末装置の外観）
図１に示すように、本実施形態の携帯端末装置１００は、液晶パネル及びバックライトから構成されるＬＣＤ（Liquid Crystal Display）による表示画面１０ａを備えた上側ユニット７と、各種キーより成る操作入力部３（図４参照）を備えた下側ユニット８と、この上側ユニット７と下型ユニット８とを接続するとともに上側ユニット７を回動させるヒンジ部９と、を備える。
【００１８】
そして、図１（ａ）の正面図に示すように、上側ユニット７の内側面には、上側ユニット７の表面の大部分を占めるように設置された表示画面１０ａと、上側ユニット７の表示画面１０ａに対してヒンジ部９と反対側となる位置に設置される受話用スピーカ１９ａと、受話用スピーカ１９ａよりも上側ユニット７の外側となる位置に設置されるインカメラ２１とが、備えられ、下側ユニット７の内側面には、操作入力部３（図４参照）となる方向キー１１、ガイドキー１２〜１６、及び、ダイヤルキー１７と、下側ユニット７の操作入力部３に対してヒンジ部９と反対側となる位置に設置される送話用マイクロフォン１９ｂとが、備えられる。
【００１９】
又、図１（ｂ）の背面図に示すように、上側ユニット７の外側面には、上側ユニット７の表面の中央位置に設置されたＬＣＤによる表示画面１０ｂが備えられ、下側ユニット８の外側面には、ヒンジ部９の近傍の側面に突出するように設置されたアンテナ１８と、ヒンジ部９の裏側に位置するように設置されたアウトカメラ２２とが、備えられる。更に、図２の側面図のように、ヒンジ部９が、下側ユニット８の内側面に固定されるとともに、上側ユニット７に接続されることで、上側ユニット７がヒンジ部９によって回動し、携帯端末装置１００の開閉が行われる。そして、図２の側面図に示すように、下側ユニット８の側面には、操作入力部３（図４参照）となるガイドキー２０が設置される。
【００２０】
下側ユニット７の操作入力部３となる方向キー１１、ガイドキー１２〜１６、ダイヤルキー１７、及び、ガイドキー２０について、簡単に説明する。まず、方向キー１２は、押圧部位に応じて異なる操作入力が可能な多機能キーであり、表示画面１１内におけるカーソル位置や操作選択の対象を移動させる際に使用される。又、ダイヤルキー１７は、表示画面１１上に表示させる数字や文字を入力する際に使用される。
【００２１】
更に、各ガイドキー１２〜１６，２０は、動作状態に応じて割り当てられる機能が異なる機能キーであり、機能割り当てが表示画面１０ａ内に表示される。即ち、ガイドキー１２は、選択された機能を実行させる際などに操作されるキーである。又、ガイドキー１３は、メール作成モードやメール閲覧モードに動作状態を移行させる際に使用される。又、ガイドキー１４は、撮影モードに移行させる際に使用され、メモリ内への撮影画像の取り込みを指示するためのレリーズ操作にも使用される。又、ガイドキー１５は、発呼及び着呼したときに通話可能とするために使用され、ガイドキー１６は、通話終了を指示するために使用される。又、ガイドキー２０は携帯端末装置１００を折りたたんだ状態（閉じた状態）での撮像を行う際のレリーズ操作に使用される。
【００２２】
このように構成される携帯端末装置１００は、図２の矢印Ｘに示すように、ヒンジ部９を中心として上側ユニット７が回動する。これにより、携帯端末装置１００を開いた状態としたとき、図１及び図２（ａ）に示すように、上側ユニット７の内側面と下側ユニット８の内側面とが同じ方向に向くとともに、ヒンジ部９を挟んだ上下に上側ユニット７と下側ユニット８とが配置される。そして、携帯端末装置１００を閉じた状態としたとき、図２（ｂ）及び図３に示すように、上側ユニット７の内側面と下側ユニット８の内側面とが対向するように、ヒンジ部９に対して同じ側に上側ユニット７と下側ユニット８とが配置される。
【００２３】
この携帯端末装置１００は、図２（ｂ）に示すように、上側ユニット７の長さＬ１が、下側ユニット８の長さＬ２より長くなるように構成される。これにより、図２（ｂ）及び図３に示すように閉じた状態とされるとき、上側ユニット７の内側面におけるカメラ２１が設置された部分が、下側ユニット８の内側面と重ならないようにすることが可能となる。よって、図３（ｂ）の背面図に示すように、上側ユニット７の内側面に設置されたインカメラ２１と下側ユニット８の外側面に設置されたアウトカメラ２２とが背面側から見える状態となるとともに、図３（ａ）の正面図に示すように、アンテナ１８の設置された側面側以外の下側ユニット８が上側ユニット７に重なった状態となる。
【００２４】
（携帯端末装置の内部ブロック）
このような外観を備えた携帯端末装置１００の内部構成について、図４のブロック図を参照して説明する。図４に示すように、携帯端末装置１００は、その内部構成として、アンテナ１８に接続されて移動体通信網を介して基地局と無線通信を行う無線通信部１と、ユーザが操作した入力キーに応じて入力信号を出力する操作入力部３と、インカメラ２１及びアウトカメラ２２による撮像動作を制御する撮像制御部４と、画像データやテキストデータなどを記録するデータ記憶部５と、表示画面１０ａ，１０ｂの表示動作を制御する表示制御部６と、各ブロックの動作制御及び各ブロック間のデータのやりとりを行う主制御部２と、を備える。
【００２５】
このような内部構成を備えた携帯端末装置１００において、無線通信部１は、移動体通信網を介して基地局と無線通信を行うセルラー方式の通信手段を備え、アンテナ１８を介した通話動作だけでなく、電子メールなどの通信データの送受信が行われる。即ち、無線通信部１では、アンテナ１８を介して受信した信号を復調した後に符号化する。このとき、復号化して得られたデータが音声データである場合は、アナログ音声に変換して受話用スピーカ１９ａより音声出力を行い、復号化して得られたデータがテキストデータや画像データの場合は、主制御部２に送出する。又、送話用マイクロフォン１９ｂから音声が入力されて得られたアナログ音声による音声データや、主制御部２を通じて与えられるテキストデータや画像データが無線通信部１に与えられると、各データが符号化された後に変調されて、アンテナ１８より送信される。
【００２６】
撮像制御部４は、インカメラ２１及びアウトカメラ２２による撮像動作を制御し、ユーザによる操作入力に基づいて撮影された画像データを出力する動作を行っている。このとき、ユーザによる操作に応じた入力データが操作入力部３より主制御部２に与えられる。そして、主制御部２によって、その入力データに基づいて、インカメラ２１及びアウトカメラ２２のいずれか一方による撮像動作、又は、インカメラ２１及びアウトカメラ２２の両方による撮像動作が、撮像制御部４に指示される。
【００２７】
よって、インカメラ２１及びアウトカメラ２２のいずれか一方による撮像動作を行うときは、操作入力部３を通じて指示されたカメラの撮像動作を撮像制御部４が制御する。これにより、インカメラ２１による撮像動作が指示されたときは、インカメラ２１単独で撮像することで得られた画像データが撮像制御部４に与えられ、アウトカメラ２２による撮像動作が指示されたときは、アウトカメラ２２単独で撮像することで得られた画像データが撮像制御部４に与えられる。このようにして、インカメラ２１又はアウトカメラ２２単独で撮像することで得られた画像データが、撮像制御部４を通じて主制御部２に与えられると、無線通信部１、データ記憶部５、及び、表示制御部６に与えられる。
【００２８】
又、インカメラ２１及びアウトカメラ２２両方による撮像動作を行うときは、インカメラ２１及びアウトカメラ２２両方の撮像動作を撮像制御部４が制御することで、立体画像の撮像が行われる。このとき、撮像制御部４では、インカメラ２１及びアウトカメラ２２で撮像されて取得された２つの画像データのうち、一方を右目用の画像データとし、他方を左目用の画像データとする。そして、インカメラ２１及びアウトカメラ２２それぞれから得られた２つの画像データが、撮像制御部４を通じて主制御部２に与えられると、無線通信部１、データ記憶部５、及び、表示制御部６に与えられる。
【００２９】
データ記憶部５は、無線通信部１又は操作入力部３からのテキストデータや、無線通信部１又は撮像制御部４からの画像データが、主制御部２を通じて与えられるとともに、この与えられたテキストデータや画像データを記憶する。このとき、インカメラ２１及びアウトカメラ２２による立体画像を構成する２つの画像データは、１つの立体画像データとして記憶する。又、操作入力部３の入力データに応じた操作画面を表示制御部６に与えて表示画面１０ａ，１０ｂに表示するために、この操作画面となるテキストデータや画像データが、データ記憶部５内に記憶される。
【００３０】
表示制御部６は、無線通信部１、操作入力部３、又はデータ記憶部５からのテキストデータや、無線通信部１、撮像制御部４、又はデータ記憶部５からの画像データが、主制御部２を通じて与えられると、このテキストデータや画像データに応じた画像表示が表示画面１０ａ，１０ｂで行われるように表示画面１０ａ，１０ｂの制御を行う。このとき、携帯端末装置１００が図１及び図２（ａ）に示すように開いた状態にある場合は、表示画面１０ａ，１０ｂの両方で画像表示が行われ、又、携帯端末装置１００が図３及び図２（ｂ）に示すように閉じた状態にある場合は、表示画面１０ｂのみで画像表示が行われる。尚、携帯端末装置１００が開いた状態にあるとき、表示画面１０ａのみで画像表示が行われるものとしても構わない。
【００３１】
更に、表示制御部６によって表示制御される表示画面１０ａは、パララックス・バリアを備えており、左眼、右眼のそれぞれに別の画像を表示することが可能である。よって、立体画像の表示が指示されたときは、表示制御部６によって、表示画面１０ａのみが制御される。そして、表示制御部６は、データ記憶部５に記憶された右目用、左目用２枚１組の立体画像用の画像データを、右目用画像を右目に映るように、左目用画像を左目に映るように表示画面１０ａの制御を行う。尚、表示画面１０ａ，１０ｂは、ＬＣＤに限らず、有機ＥＬディスプレイ、プラズマディスプレイ及びＣＲＴ等を用いても構わない。
【００３２】
（通信機能）
このように内部ブロックが構成される携帯端末装置１００が図１及び図２（ａ）のように開いた状態で、電話機能や電子メール機能などの通信機能を所望するユーザが操作入力部３に対して所定の操作をしたとき、この操作入力部３より主制御部２に与えられた入力データに基づいて、通信機能が指示される。即ち、ガイドキー１５が操作されて電話機能が指示されると、無線通信部１が動作するように主制御部２によって制御される。そして、無線通信部２が、復調及び復号化して得られた通信アナログ音声となる音声データを受話用スピーカ１９ａに与えるとともに、送話用マイクロフォン１９ｂからの音声データを符号化及び変調することでアンテナ１８より送信することで、電話機能が実行される。
【００３３】
又、方向キー１１及びガイドキー１２，１３が操作されて、電子メールの受信やインターネット上のサーバからのダウンロードを行うことが指示される。このとき、無線通信部１で受信した信号を復調した後に復号化することで、テキストデータや画像データや音声データ等が得られる。そして、テキストデータや画像データが、主制御部２を通じて、表示制御部６に与えられて、表示画面１０ａ，１０ｂのいずれかに表示されるとともに、音声データが、受話用スピーカ１９ａに与えられて音声出力がなされる。同時に、無線通信部１で得られた各データがデータ記憶部５に与えられて、データ記憶部５に記憶される。
【００３４】
更に、方向キー１１及びガイドキー１２，１３が操作されて、電子メールの送信やインターネット上のサーバへのアップロードが指示される。このとき、送信するデータとして、操作入力部３のダイヤルキー１７によるテキストデータや、インカメラ２１及びアウトカメラ２２の撮像動作により撮像された画像データや、データ記憶部５に格納されたテキストデータや画像データや、送話用マイクロフォン１９ｂからの音声データが、主制御部２を介して無線通信部１に与えられる。そして、これらの各データが符号化された後に変調されて、アンテナ１８より送信される。
【００３５】
（通常撮像機能）
又、携帯端末装置１００が図１及び図２（ａ）のように開いた状態で、１つのカメラによる動画又は静止画を撮像するための通常撮像機能を所望するユーザが操作入力部３に対して所定の操作をしたとき、この操作入力部３より主制御部２に与えられた入力データに基づいて、通常撮像機能が指示される。このとき、例えば、ガイドキー１４を操作して撮像機能が指示された後、方向キー１１とガイドキー１２を操作することで、通常撮像機能となる静止画撮影又は動画撮影が指示されるものとしても構わない。又、通常撮像機能による撮像動作を行うカメラを、インカメラ２０及びアウトカメラ２１のいずれとするかの選択が、方向キー１１とガイドキー１２を操作することで行われるものとしても構わない。
【００３６】
そして、静止画撮影が指示されたときは、ガイドキー１２，１４，２０のいずれかが操作されることで、撮像制御部４によりインカメラ２１又はアウトカメラ２２のレリーズ操作が行われる。又、動画撮影が指示されたときは、最初にガイドキー１２，１４，２０のいずれかが操作されることで、撮像制御部４によりインカメラ２１又はアウトカメラ２２による動画撮像動作が開始する。そして、動画撮像動作が行われているときに、ガイドキー１２，１４，２０のいずれかが操作されることで、撮像制御部４によりインカメラ２１又はアウトカメラ２２による動画撮像動作が終了する。
【００３７】
この通常撮像機能が行われるとき、携帯端末装置１００が図１及び図２（ａ）のように開いた状態で、インカメラ２１及びアウトカメラ２２の内、撮像動作を行うように選択されたカメラが、撮像制御部４によって動作制御される。そして、得られた画像データが撮像制御部４より主制御部２に与えられると、表示制御部６に与えられて表示画面１０ａに表示される。そして、静止画像撮影時には、ガイドキー１２，１４，２０のいずれかが操作されてレリーズ操作が成されたときの静止画となる画像データが、撮像制御部４より主制御部２に与えられた後、データ記憶部５に格納される。又、動画像撮影時には、ガイドキー１２，１４，２０のいずれかが操作されて撮影された動画となる画像データが撮像制御部４より主制御部２に与えられた後、データ記憶部５に格納される。
【００３８】
（テレビ電話機能）
又、携帯端末装置１００が図１及び図２（ａ）のように開いた状態で、テレビ電話機能を所望するユーザが操作入力部３に対して所定の操作をしたとき、この操作入力部３より主制御部２に与えられた入力データに基づいて、テレビ電話機能が指示される。このとき、例えば、表示画面１０ａに表示されるメニュー画面に基づいて、方向キー１１とガイドキー１２を操作することで、テレビ電話機能が指示されるものとしても構わないし、ガイドキー１５を操作して通話を指示した後に、ガイドキー１４を操作してテレビ電話機能を開始することを指示するものとしても構わない。
【００３９】
このようにして、テレビ電話機能を行うことが指示されると、主制御部２によって、無線通信部１、撮像制御部４、及び表示制御部６それぞれに指示が与えられる。これにより、無線通信部１が、音声データと画像データの通信処理を行い、撮像制御部４が、インカメラ２１による動画撮影動作を制御し、表示制御部６が、無線通信部１で受信された画像データに基づく動画が表示されるように、表示画面１０ａの表示動作を制御する。尚、このとき、表示画面１０ａにおいて、インカメラ２１により取得された画像データによる動画が、無線通信部１で受信された画像データによる動画とともに表示されるように、表示制御部６が動作制御を行うようにしても構わない。
【００４０】
（立体画像撮像機能）
又、携帯端末装置１００が図１及び図２（ａ）のように開いた状態で、２つのカメラによる立体画像を撮像するための立体画像撮像機能を所望するユーザが操作入力部３に対して所定の操作をしたとき、この操作入力部３より主制御部２に与えられた入力データに基づいて、立体画像撮像機能が指示される。このとき、例えば、ガイドキー１４を操作して撮像機能が指示された後、方向キー１１とガイドキー１２を操作することで、立体画像撮像機能が指示されるものとしても構わない。
【００４１】
そして、立体画像撮像機能が指示されると、図５のフローチャートに従って、立体画像撮像機能が行われる。即ち、操作入力部３によって立体画像撮像機能が指示されると、まず、ガイドキー１２，１４，２０への操作によるレリーズ操作を禁止するように、主制御部２が撮像制御部４を制御する（ＳＴＥＰ１）。そして、表示制御部５によって表示画面１０ａに、携帯端末装置１００を閉じるようにユーザに報知するための表示が成される（ＳＴＥＰ２）。
【００４２】
その後、主制御部２によって、上側ユニット７及び下側ユニット８それぞれの内側面が２（ｂ）及び図３のように対向して、携帯端末装置１００が閉じた状態とされたか否かが確認される（ＳＴＥＰ３）。尚、この携帯端末装置１００の開閉については、不図示であるが、ヒンジ部９の回動を検知するセンサによって確認されるものとしても構わないし、上側ユニット７及び下側ユニット８それぞれの内側面の接触を検知するセンサによって確認されるものとしても構わない。
【００４３】
このＳＴＥＰ３で、携帯端末装置１００が閉じた状態とされたことが確認されると（Ｙｅｓ）、表示制御部５による表示画面１０ａの画像表示が停止された後（ＳＴＥＰ４）、ガイドキー２０の操作によるレリーズ操作を許可するように、主制御部２が撮像制御部４を制御する（ＳＴＥＰ５）。又、携帯端末装置１００が閉じた状態とされたことが確認されない場合（Ｎｏ）、ＳＴＥＰ２に移行する。
【００４４】
その後、ＳＴＥＰ５でレリーズ操作が許可されると、ガイドキー２０が操作されたか否かが主制御部２によって確認される（ＳＴＥＰ６）。このとき、ガイドキー２０の操作が行われるまで、ＳＴＥＰ６の確認動作が行われる。そして、ガイドキー２０が操作されたとき（Ｙｅｓ）、レリーズ操作を行うように撮像制御部４に対して主制御部２が指示し、インカメラ２１及びアウトカメラ２２それぞれによる撮像動作が行われる（ＳＴＥＰ７）。
【００４５】
このインカメラ２１及びアウトカメラ２２それぞれによる撮像動作によって得られた２つの画像データが、一方を右目用の画像データとして、他方を左目用の画像データとして、撮像制御部４に与えられる。そして、右目用及び左目用の画像データは、撮像制御部４から主制御部２を介してデータ記憶部５に与えられて、１つの立体画像用の画像データとして、データ記憶部５内に記憶される（ＳＴＥＰ８）。そして、データ記憶部５への立体画像用の画像データの格納が成されると、立体画像撮像機能が終了する。
【００４６】
尚、このように立体画像撮像機能を動作させるとき、図３（ｂ）のように、インカメラ２１及びアウトカメラ２２が背面側に配置され、図３（ａ）のように、表示画面１０ｂが正面側に配置される。よって、図５のフローチャートにおけるＳＴＥＰ３で、携帯端末装置１００が閉じた状態とされたことが確認されると、表示制御部６によって、表示画面１０ｂに、インカメラ２１又はアウトカメラ２２のいずれかより得られた画像データに基づく画像を表示するものとしても構わない。これにより、ユーザは、表示画面１０ｂに表示される画像に基づいて、インカメラ２１及びアウトカメラ２２により立体画像が撮影される被写体を確認することができる。
【００４７】
又、立体画像撮像機能が、１枚の立体画像を撮像すると終了するものとしたが、所定期間が経過したときに終了するものとしても構わない。このとき、例えば、立体画像撮像機能が指示されてから所定期間が経過したときに終了するものとしても構わないし、図５のフローチャートにおけるＳＴＥＰ３で携帯端末装置１００が閉じた状態とされたことが確認されてから所定期間が経過したときに終了するものとしても構わないし、図５のフローチャートにおけるＳＴＥＰ６で１度目のガイドキー２０の操作が確認されてから所定期間が経過したときに終了するものとしても構わない。
【００４８】
更に、携帯端末装置１００が閉じられた状態としているときに、ガイドキー２０が操作されたことを確認すると、立体画像撮像機能が指示されたものとし、撮像制御部４によってインカメラ２１及びアウトカメラ２２それぞれのレリーズ操作が行われるものとしても構わない。このとき、１度のガイドキー２０の操作によりレリーズ操作が行われるものとしても構わないし、１度目のガイドキー２０の操作により立体画像撮像機能に移行した後、２度目のガイドキー２０の操作によりレリーズ操作が行われるものとしても構わない。又、ガイドキー１４を操作した後に、携帯端末装置１００が閉じられたことが確認されると、立体画像撮像機能が指示されたものと主制御部２が判断するものとしても構わない。
【００４９】
又、表示画面１０ｂを、表示画面１０ａと同様、パララックス・バリアを備えるものとして、立体画像撮像機能を行うときに、インカメラ２１及びアウトカメラ２２それぞれによる右目用及び左目用の画像が同時に表示されるものとしても構わない。
【００５０】
更に、上側ユニット７が下側ユニット８より長い構成としたが、上側ユニット７と下側ユニット８とが同じ長さとなるように構成するとともに、折り畳んだときに、上側ユニット７のインカメラ２１が設置された側を伸縮できる機能を備えるものとしても構わない。このとき、折り畳んで携帯端末装置１００を閉じた状態とし、上側ユニット７のヒンジ部９と逆側の先端を伸長することで、インカメラ２１を下側ユニット８と重ならないようにすることができる。これにより、インカメラ２１とアウトカメラ２２による立体画像撮像機能を動作させることができる。尚、逆に、下側ユニット８のヒンジ部９と逆側の先端が伸縮自在な構成とし、携帯端末装置１００を閉じた状態としたときに、下側ユニット８のヒンジ部９と逆側の先端を圧縮することで、インカメラ２１を下側ユニット８と重ならないようにすることができる。
【産業上の利用可能性】
【００５１】
本発明の携帯端末装置は、２機のカメラを備えた携帯電話装置やＰＨＳやＰＤＡなどに適用可能であり、特に、２機のカメラが装置の表裏に備えられたものに適用することができる。
【図面の簡単な説明】
【００５２】
【図１】は、本発明の実施形態の携帯端末装置を開いたときの正面図及び背面図である。
【図２】は、本発明の実施形態の携帯端末装置の開いたときと閉じたときそれぞれの構成を示す側面図である。
【図３】は、本発明の実施形態の携帯端末装置を閉じたときの正面図及び背面図である。
【図４】は、本発明の実施形態の携帯端末装置の内部構成を示すブロック図である。
【図５】は、本発明の実施形態の携帯端末装置による立体画像撮像機能の動作を示すフローチャートである。
【符号の説明】
【００５３】
１    無線通信部
２    主制御部
３    操作入力部
４    撮像制御部
５    データ記憶部
６    表示制御部
７    上側ユニット
８    下側ユニット
９    ヒンジ部
１０ａ，１０ｂ    表示画面
１１    方向キー
１２〜１６，２０    ガイドキー
１７    ダイヤルキー
１８    アンテナ
１９ａ    受話用スピーカ
１９ｂ    送話用マイクロフォン
２１    インカメラ
２２    アウトカメラ
１００    携帯端末装置
【図１】
2007243647.tif 000003
【図２】
2007243647.tif 000004
【図３】
2007243647.tif 000005
【図４】
2007243647.tif 000006
【図５】
2007243647.tif 000007